(57)【特許請求の範囲】
【請求項１】
駆動源に接続されて軸線（Ｌ）まわりに回転するポンプインペラ（１２）と、トランスミッションの入力軸（１３）に接続されて前記軸線（Ｌ）まわりに回転するタービンランナ（１４）と、前記ポンプインペラ（１２）および前記タービンランナ（１４）間に配置されたステータ（１５）とを備え、前記ステータ（１５）はオイルの循環方向の上流側に位置する第１ステータ（４０）と前記循環方向の下流側に位置する第２ステータ（４１）とからなり、前記第１、第２ステータ（４０，４１）は各々対応するワンウェイクラッチ（４４，４８）を介して固定部（３８）に支持されたトルクコンバータのステータ構造において、
前記第１、第２ステータ（４０，４１）のうちの一方のステータのブレード（４２，４６）の翼厚の最大値は、他方のステータのブレード（４２，４６）の翼厚の最小値よりも小さく、かつ前記一方のステータのブレード（４２，４６）の数は前記他方のステータのブレード（４２，４６）の数よりも多いことを特徴とするトルクコンバータのステータ構造。
【請求項２】
前記一方のステータのブレード（４２，４６）の径方向外端部の前記軸線（Ｌ）方向の長さは、該ブレード（４２，４６）の径方向内端部の前記軸線（Ｌ）方向の長さよりも大きいことを特徴とする、請求項１に記載のトルクコンバータのステータ構造。
【請求項３】
請求項１または請求項２に記載のトルクコンバータのステータの製造方法であって、
前記一方のステータのブレード（４２，４６）は板金プレス製であり、前記他方のステータのブレード（４２，４６）はダイキャスト製であることを特徴とするトルクコンバータのステータの製造方法。
【発明の詳細な説明】
【技術分野】
【０００１】
本発明は、駆動源に接続されて軸線まわりに回転するポンプインペラと、トランスミッションの入力軸に接続されて前記軸線まわりに回転するタービンランナと、前記ポンプインペラおよび前記タービンランナ間に配置されたステータとを備え、前記ステータはオイルの循環方向の上流側に位置する第１ステータと前記循環方向の下流側に位置する第２ステータとからなり、前記第１、第２ステータは各々対応するワンウェイクラッチを介して固定部に支持されたトルクコンバータのステータ構造と、そのトルクコンバータのステータの製造方法とに関する。
【背景技術】
【０００２】
自動車用のトルクコンバータは、エンジンのクランクシャフトに接続されたポンプインペラと、トランスミッションのメインシャフトに接続されたタービンランナと、ケーシングにワンウェイクラッチを介して支持されたステータとを備えており、ポンプインペラにより発生したオイルの流れでタービンランナを駆動し、タービンランナを通過して偏向したオイルの流れをステータで整流することで、ポンプインペラ、タービンランナおよびステータに沿ってオイルを循環させている。
【０００３】
図１４（Ａ）は従来の高トルク比型のトルクコンバータのステータ０１の翼列を示すもので、そのステータブレード０２は高トルク比を実現するために大きなキャンバーを有している。かかるトルクコンバータは、速度比（出力回転数／入力回転数）が小さい領域では、タービンランナを通過したオイルがステータブレード０２に腹面側から流入してスムーズに流れるが（矢印ａ参照）、速度比が大きい領域では、タービンランナを通過したオイルがステータブレード０２に背面側から流入するため（矢印ｂ参照）、キャンバーの強いステータブレード０２の腹面側でオイルの流れが剥離してしまい、トルク比（出力トルク／入力トルク）が１よりも小さくなったり、容量係数（入力トルク／入力回転数2 ）が大幅に低下したりする問題がある。
【０００４】
このような場合に、従来はステータ０１をケーシングに支持するワンウェイクラッチが係合解除し、ステータ０１を矢印ｃ方向に空転させてステータブレード０２の失速を抑制することで性能の改善を図っていた。
【０００５】
図１５は、高トルク比型のトルクコンバータ（実線参照）および高容量型のトルクコンバータ（破線参照）のトルク比および容量係数が、速度比に応じてどのように変化するかを示すものである。高トルク比型のトルクコンバータは、高容量型のトルクコンバータに比べて低速度比域でのトルク比は優れているが、高速度比域での容量係数が依然として低いという問題がある。
【０００６】
上述した高速度比域での容量係数を更に改善するために、図１４（Ｂ）に示すように、ステータ０１のステータブレード０２をオイルの流れ方向上流側の第１ステータブレード０２ａとオイルの流れ方向下流側の第２ステータブレード０２ｂとに分割し、第１ステータブレード０２ａおよび第２ステータブレード０２ｂを各々独立して空転できるように別個のワンウェイクラッチでケーシングに支持したものが、下記特許文献１により公知である。
【０００７】
このようにステータブレード０２を第１ステータブレード０２ａおよび第２ステータブレード０２ｂに分割することで、速度比の増加に伴って、先ず第１ステータブレード０２ａを空転させて第２ステータブレード０２ｂにオイルの整流機能を発揮させるとともに、速度比の更なる増加に伴って、第１ステータブレード０２ａおよび第２ステータブレード０２ｂの両方を空転させてオイルの流れの剥離を防止することができる。
【先行技術文献】
【特許文献】
【０００８】
【特許文献１】日本実開昭６２−１００３６５号公報
【発明の開示】
【発明が解決しようとする課題】
【０００９】
しかしながら、上記特許文献１に記載された発明は、図１４（Ｂ）に示すように、第１ステータブレード０２ａが空転して第２ステータブレード０２ｂが固定されているとき、第１ステータブレード０２ａおよび第２ステータブレード０２ｂの相対位置が翼列のピッチの半分だけずれた状態では、第１ステータブレード０２ａの後縁と第２ステータブレード０２ｂの前縁との間に形成される隙間αが極端に狭くなってしまい、その隙間αの部分でオイルの流れが阻害されて性能が低下してしまう可能性があった。
【００１０】
本発明は前述の事情に鑑みてなされたもので、トルクコンバータのトルク比の向上および容量係数の向上を両立させることを目的とする。
【課題を解決するための手段】
【００１１】
上記目的を達成するために、本発明によれば、駆動源に接続されて軸線まわりに回転するポンプインペラと、トランスミッションの入力軸に接続されて前記軸線まわりに回転するタービンランナと、前記ポンプインペラおよび前記タービンランナ間に配置されたステータとを備え、前記ステータはオイルの循環方向の上流側に位置する第１ステータと前記循環方向の下流側に位置する第２ステータとからなり、前記第１、第２ステータは各々対応するワンウェイクラッチを介して固定部に支持されたトルクコンバータのステータ構造において、前記第１、第２ステータのうちの一方のステータのブレードの翼厚の最大値は、他方のステータのブレードの翼厚の最小値よりも小さく、かつ前記一方のステータのブレードの数は前記他方のステータのブレードの数よりも多いことを特徴とするトルクコンバータのステータ構造が提案される。
【００１２】
また本発明によれば、前記第１の特徴に加えて、前記一方のステータのブレードの径方向外端部の前記軸線方向の長さは、該ブレードの径方向内端部の前記軸線方向の長さよりも大きいことを第２の特徴とするトルクコンバータのステータ構造が提案される。
【００１３】
また本発明によれば、前記第１または前記第２の特徴を備えるトルクコンバータのステータの製造方法であって、前記一方のステータのブレードは板金プレス製であり、前記他方のステータのブレードはダイキャスト製であることを第３の特徴とするトルクコンバータのステータの製造方法が提案される。
【００１４】
尚、実施の形態のメインシャフト１３は本発明の入力軸に対応し、実施の形態のトルクコンバータケース３８は本発明の固定部に対応し、実施の形態の第１ステータブレード４２および第２ステータブレード４６は本発明のステータのブレードに対応し、実施の形態の第１ワンウェイクラッチ４４および第２ワンウェイクラッチ４８は本発明のワンウェイクラッチに対応する。
【発明の効果】
【００１５】
本発明の第１の特徴によれば、トルクコンバータの速度比が小さい領域では、第１、第２ワンウェイクラッチが共に係合して第１、第２ステータが共に固定部に拘束され、オイルは第１、第２ステータブレードに沿って流れて所望の方向に整流される。速度比が増加するに伴ってステータへのオイルの流入方向が変化すると、第１ワンウェイクラッチが係合解除して第１ステータが空転することで第１ステータブレードが失速するのを防止するため、オイルは第２ステータの第２ステータブレードに沿って流れて所望の方向に整流される。速度比が大きい領域ではステータへのオイルの流入方向が更に変化するため、第１、第２ワンウェイクラッチが共に係合解除して第１、第２ステータが共に空転し、オイルは第１、第２ステータブレードに邪魔されずに所望の方向に流出することができる。
【００１６】
第１、第２ステータのうちの一方のステータのブレードの数は他方のステータのブレードの数よりも多く、かつ一方のステータのブレードの翼厚の最大値は、他方のステータのブレードの翼厚の最小値よりも小さいので、第１ステータブレードの後縁と第２ステータブレードの前縁との間の隙間を充分に確保し、前記隙間でオイルの流れが滞るのを防止するとともに、数の多い一方のステータのブレードによってオイルの流れを効果的に整流することで、トルクコンバータのトルク比の向上および容量係数の向上を両立させることができる。
【００１７】
また本発明の第２の特徴によれば、一方のステータのブレードの径方向外端部の軸線方向の長さは、該ブレードの径方向内端部の軸線方向の長さよりも大きいので、そのブレードのコード長を拡大してオイルの流れの整流効果を高めることができる。
【００１８】
また本発明の第３の特徴によれば、一方のステータのブレードは板金プレス製であるため、低コストで製造可能である。また他方のステータのブレードはダイキャスト製であるが、ステータを２分割したことにより、それを分割しない場合に比べて前記他方のステータのブレードの反りが小さくなるため、金型の構造を簡素化して製造コストを削減することができる。
【図面の簡単な説明】
【００１９】
【図１】図１はトルクコンバータの縦断面図である。（第１の実施の形態）
【図２】図２は第１、第２ステータの斜視図である。（第１の実施の形態）
【図３】図３は図１の３−３線断面図である。（第１の実施の形態）
【図４】図４は実施の形態のステータと従来の高トルク比型ステータとの性能を比較するグラフである。（第１の実施の形態）
【図５】図５は実施の形態のステータと従来の２段ステータとの性能を比較するグラフである。（第１の実施の形態）
【図６】図６はトルクコンバータの縦断面図である。（第２の実施の形態）
【図７】図７は第１、第２ステータの斜視図である。（第２の実施の形態）
【図８】図８は図６の８−８線断面図である。（第２の実施の形態）
【図９】図９はトルクコンバータの縦断面図である。（第３の実施の形態）
【図１０】図１０は第１、第２ステータの斜視図である。（第３の実施の形態）
【図１１】図１１は図９の１１−１１線断面図である。（第３の実施の形態）
【図１２】図１２は実施の形態のステータと従来の高トルク比型ステータとの性能を比較するグラフである。（第３の実施の形態）
【図１３】図１３は実施の形態のステータと従来の２段ステータとの性能を比較するグラフである。（第３の実施の形態）
【図１４】図１４は従来のトルクコンバータのステータを示す図である。（従来例）
【図１５】図１５は従来のトルクコンバータのトルク比および容量係数の特性を示すグラフである。（従来例）
【符号の説明】
【００２０】
１２        ポンプインペラ
１３        メインシャフト（入力軸）
１４        タービンランナ
１５        ステータ
３８        トルクコンバータケース（固定部）
４０        第１ステータ
４１        第２ステータ
４２        第１ステータブレード（ステータのブレード）
４４        第１ワンウェイクラッチ（ワンウェイクラッチ）
４６        第２ステータブレード（ステータのブレード）
４８        第２ワンウェイクラッチ（ワンウェイクラッチ）
Ｌ          軸線
【発明を実施するための最良の形態】
【００２１】
本発明の実施の形態を添付図面に基づいて以下に説明する。
【第１の実施の形態】
【００２２】
先ず、図１〜図５に基づいて本発明の第１の実施の形態を説明する。
【００２３】
図１に示すように、自動車用のトルクコンバータＴは駆動源であるエンジン（不図示）のクランクシャフト１１に接続されたポンプインペラ１２と、トランスミッション（不図示）のメインシャフト１３に接続されたタービンランナ１４と、ポンプインペラ１２およびタービンランナ１４間に配置されたステータ１５と、ポンプインペラ１２およびタービンランナ１４を結合可能なロックアップクラッチ１６とを備える。クランクシャフト１１およびメインシャフト１３は、お互いの軸端を対向させた状態でトルクコンバータＴの軸線Ｌ上に同軸に配置される。
【００２４】
クランクシャフト１１の軸端に板状のドライブプレート１７がボルト１８…で固定されており、メインシャフト１３の軸端にプレーンベアリング１９を介して回転自在に支持された皿状のトルクコンバータカバー２０の外周部に、前記ドライブプレート１７の外周部がボルト５３…で固定される。
【００２５】
ポンプインペラ１２は、トルクコンバータカバー２０の外周部に溶接されたポンプシェル２１と、ポンプシェル２１の内周部に溶接されてメインシャフト１３の外周を囲むポンプボス２２と、ポンプシェル２１の内面に突設された複数のポンプブレード２３…と、ポンプブレード２３…の先端間を接続するポンプコア２４とで構成される。またタービンランナ１４は、メインシャフト１３の軸端部にスプライン結合されたタービンボス２５と、タービンボス２５に溶接されたタービンシェル２６と、タービンシェル２６の内面に突設された複数のタービンブレード２７…と、タービンブレード２７…の先端間を接続するタービンコア２８とで構成される。タービンボス２５とトルクコンバータカバー２０との間にはスラストベアリング２９が配置される。
【００２６】
ポンプシェル２１およびタービンシェル２６によって囲まれた空間のオイルが充填されており、ポンプインペラ１２の回転に伴って前記空間をオイルが矢印で示す方向に循環する。
【００２７】
ロックアップクラッチ１６は、タービンボス２５の外周部に軸線Ｌ方向摺動自在に嵌合するクラッチピストン３０を備えており、クラッチピストン３０の外周部はダンパースプリング３１…およびステー３２…を介してタービンシェル２６に接続される。クラッチピストン３０とトルクコンバータカバー２０との間に第１油室３３が区画され、またクラッチピストン３０とタービンシェル２６との間に第２油室３４が区画される。
【００２８】
従って、第１油室３３に油圧を供給すると、クラッチピストン３０が図中右動して摩擦部材３５がトルクコンバータカバー２０から離間することで、ポンプインペラ１２およびタービンランナ１４が相対回転自在に分離される。逆に第２油室３４に油圧を供給すると、クラッチピストン３０が図中左動して摩擦部材３５がトルクコンバータカバー２０に当接してロックアップクラッチ１６が係合することで、ポンプインペラ１２およびタービンランナ１４が一体に結合され、クランクシャフト１１の回転がメインシャフト１３に直接伝達される。
【００２９】
メインシャフト１３の外周にニードルベアリング３６，３６を介してスリーブ３７が相対回転自在に嵌合しており、スリーブ３７の一端部がトルクコンバータケース３８に係止され、かつスリーブ３７の外周に筒状のステータ支持部材３９がスプライン結合される。従って、ステータ支持部材３９はスリーブ３７を介してトルクコンバータケース３８に回転不能に拘束される。
【００３０】
ステータ１５は、矢印で示すオイルの循環方向の上流側に位置する第１ステータ４０と、下流側に位置する第２ステータ４１とで構成されており、第１、第２ステータ４０，４１は軸線Ｌ方向に並置される。第１ステータ４０は、複数の第１ステータブレード４２…の径方向外端にタービンコア２８に連なる第１ステータコア４３を備えるともに、径方向内端に第１ワンウェイクラッチ４４を介してステータ支持部材３９に支持される第１ステータボス４５を備える。また第２ステータ４１は、複数の第２ステータブレード４６…の径方向外端にポンプコア２４に連なる第２ステータコア４７を備えるともに、径方向内端に第２ワンウェイクラッチ４８を介してステータ支持部材３９に支持される第２ステータボス４９を備える。
【００３１】
タービンボス２５および第１ステータボス４５間にスラストベアリング５０が配置され、第１ステータボス４５および第２ステータボス４９間にスラストベアリング５１が配置され、ポンプボス２２および第２ステータボス４９間にスラストベアリング５２が配置される。
【００３２】
しかして、エンジンのクランクシャフト１１に接続されたポンプインペラ１２が回転すると、ポンプインペラ１２のポンプブレード２３…から矢印方向に押し出されたオイルがタービンランナ１４のタービンブレード２７…に作用し、タービンランナ１４にトルクを与えてトランスミッションのメインシャフト１３を回転させた後、第１、第２ステータ４０，４１の第１、第２ステータブレード４２…，４６…を通過してポンプインペラ１２に還流することで、クランクシャフト１１の回転がメインシャフト１３に伝達される。
【００３３】
次に、図２および図３に基づいて第１、第２ステータ４０，４１の具体的な構造を説明する。
【００３４】
第１ステータ４０はダイキャスト製の部材であって、第１ステータコア４３、第１ステータボス４５および第１ステータブレード４２…が一体に形成される。第１ステータブレード４２の翼型は、曲率半径の大きい前縁４２ａと、曲率半径の小さい後縁４２ｂと、前縁４２ａおよび後縁４２ｂを結ぶ腹面４２ｃおよび背面４２ｄとで構成される。第１ステータブレード４２の翼型の腹面４２ｃおよび背面４２ｄに同時に接する多数の円を描いたとき、その円の直径を翼厚と定義すると、本実施の形態の翼型の翼厚は、前縁４２ａ部分で最大になり、後縁４２ｂ部分で最小になる。
【００３５】
一方、第２ステータ４１は、第２ステータコア４７、第２ステータボス４９および第２ステータブレード４６…が金属板をプレス成型することで別個に製造され、それらが溶接により一体に組み立てられる。従って、第２ステータブレード４６の前縁４６ａ、後縁４６ｂ、腹面４６ｃおよび背面４６ｄよりなる翼型は、金属板の板厚に等しい一定の翼厚を有する平板状のものとなり、その翼厚ｔ２は第１ステータブレード４２の最小翼厚ｔ１（後縁４２ｂ部分における翼厚）よりも小さく設定されている。
【００３６】
第２ステータブレード４６…の数は第１ステータブレード４２…の数の２倍であり、従って第２ステータブレード４６…の配列ピッチＰ２は第１ステータブレード４２…の配列ピッチＰ１の半分である。第２ステータブレード４６…の数は第１ステータブレード４２…の数の整数倍である必要はなく、第２ステータブレード４６…の数が第１ステータブレード４２…の数よりも多ければ良い。
【００３７】
第１ステータブレード４２および第２ステータブレード４６が整列したとき、それらのキャンバーラインが滑らかに連続するように、第１、第２ステータブレード４２…，４６…は同方向に湾曲している。
【００３８】
次に、上記構成を備えた本発明の実施の形態の作用を説明する。
【００３９】
トルクコンバータＴの速度比が小さい領域では、タービンランナ１４を出たオイルがステータ１５に図３の矢印Ａ１方向、つまり第１ステータ４０の第１ステータブレード４２…のキャンバーラインに沿う方向に流入する。この状態では第１ステータブレード４２…は矢印Ｂ方向の揚力を発生して第１ワンウェイクラッチ４４が係合し、かつ第２ステータ４１の第２ステータブレード４６…は矢印Ｃ方向の揚力を発生して第２ワンウェイクラッチ４８が係合するため、第１ステータ４０および第２ステータ４１は共にトルクコンバータケース３８に回転不能に拘束される。その結果、ステータ１５へのオイルの流入方向に対してステータ１５からのオイルの流出方向が偏向し、その下流側に位置するポンプインペラ１２に適切な角度でオイルを流入させることが可能となる。
【００４０】
速度比が増加すると、タービンランナ１４を出たオイルがステータ１５に図３の矢印Ａ２方向、つまり第１ステータブレード４２…の背面４２ｄ…側から流入するようになるため、第１ステータブレード４２…の腹面４２ｃ…側でオイルの流れが剥離する虞があるが、オイルの流れに第１ステータブレード４２…の背面４２ｄ…を押されることで、第１ワンウェイクラッチ４４が係合解除して第１ステータ４０は矢印Ｂ′方向に空転する。その結果、第１ステータブレード４２…の失速が抑制されて第２ステータブレード４６…のキャンバーラインに沿う方向にオイルがスムーズに流入する。
【００４１】
この状態では第２ステータ４１の第２ステータブレード４６…は依然として矢印Ｃ方向の揚力を発生して第２ワンウェイクラッチ４８が係合し、第２ステータ４１はトルクコンバータケース３８に回転不能に拘束されるため、第２ステータ４１により整流されたオイルを下流側に位置するポンプインペラ１２に適切な角度で流入させることができる。
【００４２】
速度比が更に増加すると、タービンランナ１４を出たオイルがステータ１５に図３の矢印Ａ３方向、つまり第２ステータブレード４６…の背面４６ｄ…側から流入するようになるため、第２ステータブレード４６…の腹面４６ｃ…側でオイルの流れが剥離する虞があるが、オイルの流れに第２ステータブレード４６…の背面４６ｄ…を押されることで、第２ワンウェイクラッチ４８が係合解除して第２ステータ４１は第１ステータ４０と共に矢印Ｃ′方向に空転する。その結果、第１ステータブレード４２…および第２ステータブレード４６…の失速が抑制され、殆ど抵抗を受けることなくステータ１５を通過したオイルは下流側に位置するポンプインペラ１２に適切な角度で流入する。
【００４３】
以上のように、本実施の形態によれば、第１、第２ワンウェイクラッチ４４，４８で共に空転可能に支持された第１、第２ステータ４０，４１のうち、第１ステータ４０の第１ステータブレード４２…は翼厚が大きい完結した翼型を備え、第２ステータ４１の第２ステータブレード４６…は翼厚が極めて小さい平板状の翼型を備えるので、第１ステータブレード４２…の後縁４２ｂ…と第２ステータブレード４６…の前縁４６ａ…との間に充分に大きい隙間β（図３参照）を確保し、オイルのスムーズな流れが阻害されるのを防止することができる。しかも第２ステータブレード４６…は翼厚が極めて小さいため、その数を第１ステータブレード４２…の数よりも多くすることができ、これにより第２ステータ４１によるオイルの流れ方向の整流を効率的に行うことができる。
【００４４】
図４は、図１４（Ａ）に示す従来の高トルク比型のトルクコンバータのステータ０１と、本実施の形態のステータ１５との性能を比較するグラフである。同図から、本実施の形態によれば、全ての速度比域で従来例よりも高いトルク比を確保することができ、また低速度比域で従来例に比べて容量係数が僅かに低下するものの、特に中・高速度比域で従来例よりも容量係数が大幅に増加することが分かる。
【００４５】
図５は、図１４（Ｂ）に示す従来の２段ステータ型のトルクコンバータのステータ０１と、本実施の形態のステータ１５との性能を比較するグラフである。同図から、本実施の形態によれば、全ての速度比域で従来例と同等の容量係数を確保しながら、特に低・中速度比域で従来例よりもトルク比が増加することが分かる。
【００４６】
また本実施の形態によれば、ステータ１５を第１ステータ４０および第２ステータ４１に分割したために、ダイキャスト製の第１ステータブレード４２…の反りが小さくなり、第１ステータ４０をダイキャストで一体に形成する際にアンダーカット部分が生じないようにして金型の構造を簡素化し、製造コストを削減することができる。また第２ステータ４１も、その第２ステータブレード４６…をプレス成型により簡単に製造可能であるため、その製造コストを削減することができる。
【第２の実施の形態】
【００４７】
次に、図６〜図８に基づいて本発明の第２の実施の形態を説明する。
【００４８】
第２の実施の形態は、第２ステータ４１の第２ステータブレード４６…の形状が第１の実施の形態と異なるもので、その他の構成は第１の実施の形態と同じである。
【００４９】
第２の実施の形態の第２ステータブレード４６…は、その径方向内側部分でのコード長Ｌ１に対して、径方向外側部分でのコード長Ｌ２が大きくなっている。これにより、第２ステータブレード４６…によるオイルの整流を更に効果的に行うことが可能となる。このような形状の第２ステータブレード４６…を仮にダイキャストで製造しようとすると、型抜きが困難であるために金型の構造が複雑化するが、板金プレス製とすることで容易に製造することができる。
【第３の実施の形態】
【００５０】
次に、図９〜図１３に基づいて本発明の第３の実施の形態を説明する。
【００５１】
第１の実施の形態は、第１ステータ４０の第１ステータブレード４２…が翼厚が大きい完結した翼型を備え、第２ステータ４１の第２ステータブレード４６…が翼厚が極めて小さい平板状の翼型を備えているが、第３の実施の形態はその関係が逆になっている。
【００５２】
即ち、第１ステータ４０は、第１ステータコア４３、第１ステータボス４５および第１ステータブレード４２…が金属板をプレス成型することで別個に製造され、それらが溶接により一体に組み立てられる。従って、第１ステータブレード４２の前縁４２ａ、後縁４２ｂ、腹面４２ｃおよび背面４２ｄよりなる翼型は、金属板の板厚に等しい一定の翼厚を有する平板状のものとなる。
【００５３】
一方、第２ステータ４１はダイキャスト製の部材であって、第２ステータコア４７、第２ステータボス４９および第２ステータブレード４６…が一体に形成される。第２ステータブレード４６の翼型は、曲率半径の大きい前縁４６ａと、曲率半径の小さい後縁４６ｂと、前縁４６ａおよび後縁４６ｂを結ぶ腹面４６ｃおよび背面４６ｄとで構成される。第２ステータブレード４６の翼型の腹面４６ｃおよび背面４６ｄに同時に接する多数の円を描いたとき、その円の直径を翼厚と定義すると、本実施の形態の翼型の翼厚は、前縁４６ａの後方部分で最大になり、後縁４６ｂ部分で最小になる。そして第１ステータブレード４２の翼厚ｔ１は、第２ステータブレード４６の最小翼厚ｔ２（後縁４６ｂ部分における翼厚）よりも小さく設定されている。
【００５４】
第１ステータブレード４２…の数は第２ステータブレード４６…の数の２倍であり、従って第１ステータブレード４２…の配列ピッチＰ１は第２ステータブレード４６…の配列ピッチＰ２の半分である。第１ステータブレード４２…の数は第２ステータブレード４６…の数の整数倍である必要はなく、第１ステータブレード４２…の数が第２ステータブレード４６…の数よりも多ければ良い。
【００５５】
第１ステータブレード４２および第２ステータブレード４６が整列したとき、それらのキャンバーラインが滑らかに連続するように、第１、第２ステータブレード４２…，４６…は同方向に湾曲している。
【００５６】
図１２は第１の実施の形態の図４に対応するもので、図１４（Ａ）に示す従来の高トルク比型のトルクコンバータのステータ０１と、第３の実施の形態のステータ１５との性能を比較するグラフである。本実施の形態によっても、第１の実施の形態と同様に、全ての速度比域で従来例よりも高いトルク比を確保することができ、また低速度比域で従来例に比べて容量係数が僅かに低下するものの、特に中・高速度比域で従来例よりも容量係数が大幅に増加することが分かる。
【００５７】
但し、第３の実施の形態では速度比が大きい領域での容量係数の増加が、第１の実施の形態（図４参照）よりも更に顕著なものとなっている。その理由は、速度比が大きい領域で第１ステータ４０が空転すると第２ステータ４１の特性が性能に大きな影響を及ぼすようになるが、第３の実施の形態は第２ステータブレード４６…の配列ピッチＰ２が大きいため、オイルの流量が増加するからである。
【００５８】
図１３は第１の実施の形態の図５に対応するもので、図１４（Ｂ）に示す従来の２段ステータ型のトルクコンバータのステータ０１と、第３の実施の形態のステータ１５との性能を比較するグラフである。本実施の形態によっても、第１の実施の形態と同様に、全ての速度比域で従来例と同等の容量係数を確保しながら、特に低・中速度比域で従来例よりもトルク比が増加することが分かる。
【００５９】
但し、第１の実施の形態（図５参照）では速度比が大きい領域でのトルク比の増加が、第３の実施の形態よりも顕著になっている。その理由は、速度比が大きい領域で第１ステータ４０が空転すると第２ステータ４１の特性が性能に大きな影響を及ぼすようになるが、第１の実施の形態は第１ステータブレード４２…の配列ピッチＰ２が小さいため、オイルの流れ方向が大きく偏向するからである。
【００６０】
それ以外については、この第３の実施の形態によっても、第１の実施の形態と同様の作用によって同様の効果を達成することができる。
【００６１】
しかも第３の実施の形態の第１ステータブレード４２…は、その径方向内側部分でのコード長Ｌ１に対して、径方向外側部分でのコード長Ｌ２が大きくなっている。これにより、第１ステータブレード４２…によるオイルの整流を更に効果的に行うことが可能となる。
【００６２】
以上、本発明の実施の形態を説明したが、本発明はその要旨を逸脱しない範囲で種々の設計変更を行うことが可能である。
【００６３】
例えば、第１ステータブレード４２…あるいは第２ステータブレード４６…を板金プレスにより製造する代わりに、光造形法により製造することも可能である。
【図１】
0005950212.tif 000002
【図２】
0005950212.tif 000003
【図３】
0005950212.tif 000004
【図４】
0005950212.tif 000005
【図５】
0005950212.tif 000006
【図６】
0005950212.tif 000007
【図７】
0005950212.tif 000008
【図８】
0005950212.tif 000009
【図９】
0005950212.tif 000010
【図１０】
0005950212.tif 000011
【図１１】
0005950212.tif 000012
【図１２】
0005950212.tif 000013
【図１３】
0005950212.tif 000014
【図１４】
0005950212.tif 000015
【図１５】
0005950212.tif 000016